(57)【要約】【課題】操作時の摺動性を損なうことなく止水するスライドスイッチ構造。【解決手段】一方向に長さを有する開口部３Ａが設けられた筐体３と、開口部の内側を開口部の長手方向に沿って移動する操作部１８と、操作部に固定されたフランジ部２Ｂと、フランジ部と筐体との間に設けられ、フランジ部に根元側の縁が取り付けられているとともに、筐体の内面に先端側の縁が接触しており、開口部を囲うように環状に形成されている環状弁２Ａとを有する防水型携帯機器のスライドスイッチ構造１において、環状弁は、筐体の内面に先端側の縁２１が接触することにより、根元側の縁と先端側の縁との間が湾曲している防水型携帯機器のスライドスイッチ構造。【選択図】図４
2013256965.tif 000002
【特許請求の範囲】
【請求項１】
一方向に長さを有する開口部が設けられた筐体と、
前記開口部の内側を前記開口部の長手方向に沿って移動する操作部と、
前記操作部に固定されたフランジ部と、
前記フランジ部と前記筐体との間に設けられ、前記フランジ部に根元側の縁が取り付けられているとともに、前記筐体の内面に先端側の縁が接触しており、前記開口部を囲うように環状に形成されている環状弁とを有する防水型携帯機器のスライドスイッチ構造において、
前記環状弁は、前記筐体の内面に先端側の縁が接触することにより、前記根元側の縁と先端側の縁との間が湾曲することを特徴とする防水型携帯機器のスライドスイッチ構造。
【請求項２】
一方向に長さを有する開口部が設けられた筐体と、
前記開口部の内側を前記開口部の長手方向に沿って移動する操作部と、
前記操作部に固定されたフランジ部と、
前記フランジ部と前記筐体との間に設けられ、前記筐体の内面に根元側の縁が取り付けられているとともに、前記フランジ部に先端側の縁が接触しており、前記開口部を囲うように環状に形成されている環状弁とを有する防水型携帯機器のスライドスイッチ構造において、
前記環状弁は、前記フランジ部に先端側の縁が接触することにより、前記根元側の縁と先端側の縁との間が湾曲することを特徴とする防水型携帯機器のスライドスイッチ構造。
【請求項３】
前記環状弁は、根元側の縁から先端側の縁に向かうに従って、前記環状弁の中心側から離れる方向に傾斜していることを特徴とする請求項１又は請求項２に記載の防水型携帯機器のスライドスイッチ構造。
【請求項４】
前記フランジ部に対し前記筐体とは反対側に配置されているとともに、前記筐体に対し固定されている固定板を備え、
前記フランジ部の前記環状弁が形成されている側の反対側には、
前記フランジ部と前記固定板との間に設けられ、前記フランジ部に根元側の縁が取り付けられているとともに、前記固定板に先端側の縁が接触している付勢弁が設けられていることを特徴とする請求項１から請求項３のいずれか一項に記載の防水型携帯機器のスライドスイッチ構造。
【発明の詳細な説明】
【技術分野】
【０００１】
本発明は、防水機能を有する携帯電話などの防水型携帯機器のスライドスイッチ構造に関する。
【背景技術】
【０００２】
近年、例えば携帯電話等の携帯機器は小型化、薄型化されると共に様々なアプリケーション機能を備えており、日常生活に不可欠なものとなっている。このため、雨天時における屋外での使用等、実生活の様々な場面における使用に対して需要者の要求に対応すべく、防水機能を有する携帯機器が開発されている。
【０００３】
図１２は、防水機能を有する携帯機器１００の一例を示す図である。防水機能を有する携帯機器において、例えば音声のレベルを調節するためのボリューム操作に用いられているキーの多くはスライドスイッチではなく、図１１に示すように、２つのプッシュスイッチ１０１を用いたタイプである。当該プッシュスイッチ１０１は可変抵抗型のスライドスイッチと比較して、信頼性が高いという利点がある。
【０００４】
一方、スライドスイッチを用いることによって、無段階のボリュームの微調整や電源がＯＦＦの状態での操作が可能となるが、操作者によって操作されるとともに一部が外部に露出するスライドキーと筐体（ケーシング）との間に防水構造を組み込むことが難しかった。
【０００５】
例えば、特許文献１には、操作者によって操作されるスライドノブと、筐体との間に介在するシール部材を用いたスライドスイッチの構造が記載されている。この構造においては、シール部材に形成された環状の突起（パッキン）がスライドノブの裏面に当接することによって止水が可能となる。
【０００６】
また、特許文献２には、操作部であるツマミと筐体との間に、不織布にシリコンを含浸させた防水パッキンとマイラーのシートとを重ねたものを介装したスライドスイッチの防滴構造が記載されている。
【先行技術文献】
【特許文献】
【０００７】
【特許文献１】特開２００１−２９７６５８号公報
【特許文献２】実開昭６３−０６５９２２号公報
【発明の概要】
【発明が解決しようとする課題】
【０００８】
しかしながら、特許文献１に記載の構造は、パッキンを垂直に押し潰して行うため、操作時にパッキンと筐体とが擦れる際の抵抗が大きく、操作感が悪くなってしまう。特許文献２に記載の構造においても同様である。
【０００９】
この発明は、このような事情を考慮してなされたもので、その目的は、防水の機能を充たしつつ、スライドキーの操作性を向上させる防水型携帯機器のスライドスイッチ構造を提供することにある。
【課題を解決するための手段】
【００１０】
上記課題を解決するために、この発明は以下の手段を提供している。
本発明の防水型携帯機器のスライドスイッチ構造一方向に長さを有する開口部が設けられた筐体と、前記開口部の内側を前記開口部の長手方向に沿って移動する操作部と、前記操作部に固定されたフランジ部と、前記フランジ部と前記筐体との間に設けられ、前記フランジ部に根元側の縁が取り付けられているとともに、前記筐体の内面に先端側の縁が接触しており、前記開口部を囲うように環状に形成されている環状弁とを有する防水型携帯機器のスライドスイッチ構造において、前記環状弁は、前記筐体の内面に先端側の縁が接触することにより、前記根元側の縁と先端側の縁との間が湾曲することを特徴とする。
【発明の効果】
【００１１】
本発明によれば、環状弁を形成する材料の曲げ反力を利用して止水することで操作時の摺動性を損なうことなく止水することができる。
【図面の簡単な説明】
【００１２】
【図１】本発明の第一実施形態に係る携帯電話装置の斜視図である。
【図２】本発明の第一実施形態に係るスライドスイッチ構造の分解斜視図である。
【図３】本発明の第一実施形態に係るスライドスイッチ構造の組み立て後を示す斜視図である。
【図４】図３のＡ−Ａ断面図である。
【図５】本発明の第一実施形態に係るスライドキーの斜視図である。
【図６】スライドキー組み立て前の環状弁の形状を示す断面図である。
【図７】スライドキー組み立て後の環状弁の形状を示す断面図である。
【図８】環状弁の倒れ方向が逆転していることを示す断面図である。
【図９】本発明の第一実施形態の別形態に係るスライドスイッチ構造の断面図である。
【図１０】本発明の第二実施形態に係るスライドスイッチ構造の断面図である。
【図１１】本発明の第二実施形態の別形態に係るスライドスイッチ構造の断面図である。
【図１２】２つのプッシュスイッチを用いた携帯電話装置を示す斜視図である。
【発明を実施するための形態】
【００１３】
（第一実施形態）
以下、本発明の第一実施形態について図面を参照して詳細に説明する。
図１は、本実施形態に係る防水型の携帯機器１０の斜視図である。携帯機器１０は例えば折り畳み型携帯電話端末である。図１に示すように、本実施形態のスライドスイッチ構造１は、携帯機器１０の一側面に設けられている。使用者は、スライドスイッチ構造１のスライドキー２をスライドさせることによって、例えば、携帯電話端末の音声のボリュームを調整することができる。スライドキー２の一部は、携帯機器１０の筐体３に形成されている開口部３Ａより外部に露出されている。
【００１４】
図２は、本実施形態に係るスライドスイッチ構造１の分解斜視図である。図２に示すように、スライドスイッチ構造１は、携帯機器１０の筐体３に取り付けられるものであり、筐体３の内側に取り付けられる板状の固定板４と、筐体３と固定板４との間に挟持されるスライドキー２と、筐体３に内部に固定されているプリント基板６と、プリント基板６に取り付けられているスライドスイッチ７と、を有している。
【００１５】
図３に示すように、本実施形態のスライドスイッチ構造１は、スライドキー２を固定板４と筐体３とで挟持するように組み込むとともに、スライドスイッチ７が固定されたプリント基板６を所定の方法で筐体３に組み込むことによって組み立てられる。このように組み立てることで、筐体３の開口部３Ａからスライドキー２の操作部１８が露出する。そして、この操作部１８を操作することによってスライドスイッチ７の操作が可能となる。
【００１６】
筐体３は、外枠部１１と、外枠部１１から内側に突出する一対の係合片１２と、一対の係合片１２の間に形成されている開口部３Ａとを有している。開口部３Ａは、一方向に長さを有する矩形状の孔である。
プリント基板６は、筐体３に所定の方法で固定されており、携帯機器１０の集積回路などが搭載されている。そしてプリント基板６の一端部には、スライドスイッチ７が固定されている。
スライドスイッチ７は、プリント基板６に固定されている本体部１３と、本体部１３上をスライド移動可能であるレバー１４とを有している。スライドスイッチ７は、レバー１４を直線方向に操作することにより移動量を検出することができるリニア型の可変抵抗器である。
【００１７】
固定板４は、筐体３の外枠部１１と平行となるように筐体３の内側に取り付けられる矩形形状の板部材である。固定板４には、一対の係合片１２と係合するように形成された係合孔１６と、平面視して筐体３の開口部３Ａと略同形状、同位置となるように形成されたスライド孔１７と、を有している。図４に示すように、固定板４と筐体３とは、固定板４を筐体３の内側に取り付けられることによって、筐体３の内面と固定板４の一面との間にスライドキー２が組み込まれる所定寸法の隙間Ｇ１が生じるように構成されている。
【００１８】
図５に示すように、スライドキー２は、筐体３の外枠部１１と平行とされる板形状のフランジ部２Ｂと、フランジ部２Ｂの一方側略中央に形成されている操作部１８と、フランジ部２Ｂの他方側略中央に形成されている一対の接続片１９と、フランジ部２Ｂの縁に沿ってフランジ部２Ｂの一方側に突出する環状弁２Ａとを有している。
【００１９】
フランジ部２Ｂは、筐体３の開口部３Ａの長手方向に沿う長さを有する矩形板状の部材であり、スライドキー２を取り付けることによって、フランジ部２Ｂの一面と筐体３の外枠部１１との間に所定の隙間Ｇ２が形成される厚さ寸法を有している。また、スライドキー２を組み込むことによって、フランジ部２Ｂの他面と固定板４とが面接触する。フランジ部２Ｂは例えば、ＰＣ樹脂やＡＢＳ樹脂など剛性の高い材料によって形成されている。
【００２０】
操作部１８は、スライドキー２を筐体３と固定板４との間に組み込むことによって、開口部３Ａから露出するように形成されている。また、操作部１８は、手動によって開口部３Ａの長手方向に沿って移動させることが可能である。操作部１８は、フランジ部２Ｂ及び接続片１９と一体に形成されているため、操作部１８を移動させることによってフランジ部２Ｂ及び接続片１９も移動する。
【００２１】
一対の接続片１９は、フランジ部２Ｂの操作部１８とは反対側に突出するように形成されており、一対の接続片１９はその間に、スライドスイッチ７のレバー１４を挟み込むように形成されている。即ち、操作部１８の移動に伴い接続片１９が移動することによって、スライドスイッチ７が操作されるように構成されている。
【００２２】
環状弁２Ａは、スライドキー２を取り付けることによって、開口部３Ａを囲うように形成されている環状の突条である。環状弁２Ａは、フランジ部２Ｂより操作部１８と同じ側に突出しており、その先端側の縁２１が外枠部１１の内面に当接するようになっている。
環状弁２Ａは、スライドキー２を取り付けることによって、フランジ部２Ｂと外枠部１１との間に形成される隙間をシールするように形成されている。環状弁２Ａは、エラストマなど弾性を有する樹脂によって形成されており、フランジ部２Ｂと環状弁２Ａとは、例えば二色成形（ダブルモールド）によって一体化されている。また、環状弁２Ａの表面には、摺動性を向上させるためのコーティング処理が施されていることが好ましい。
【００２３】
図６に示すように、環状弁２Ａは、突出方向に向かうに従って、環状弁２Ａが形成する環の外周側に広がるように形成されている。言い換えれば、環状弁２Ａは、フランジ部２Ｂと直交するように突出しておらず、環状弁２Ａの根元側の縁２０（他方側の縁）から先端側の縁２１（一方側の縁）に向かうに従って、環状弁２Ａの中心側から離れる方向に傾斜している。
また、環状弁２Ａの根元側の縁２０と、先端側の縁２１との間には湾曲部２２が形成されている。湾曲部２２は、環状弁２Ａの先端側の縁２１が、より環状弁２Ａの外側に湾曲するように形成されている。
【００２４】
次に、上述したような構成のスライドスイッチ構造１による作用について説明する。
図３に示すように、スライドスイッチ構造１を組み立てると、図４に示すように、環状弁２Ａは全周に亘って筐体３の外枠部１１の内面に当接する。この環状弁２Ａによって、筐体３の内側であって開口部３Ａの外周側が塞がれ、水の浸入が防止される。
【００２５】
図７に示すように、スライドキー２を組み込むことによって、環状弁２Ａは根元側の縁２０を中心に僅かに曲げられる。即ち、環状弁２Ａは、フランジ部２Ｂに直交する方向に押し潰されることはない。さらに、操作部１８を操作することによって、スライドキー２が移動した場合においても、スライドキー２と筐体３との間は、曲げられた環状弁２Ａによって常に止水される。
【００２６】
以上のように、本発明の第一実施形態に係る防水型携帯機器１０のスライドスイッチ構造１によれば、環状弁２Ａを形成する樹脂の曲げ反力を利用して止水することで操作時の摺動性を損なうことなく止水することができる。
また、環状弁２Ａが環状に繋がれていることで強度が持たされているとともに、湾曲部２２が形成されていることによって、図８に示すような環状弁２Ａの倒れ方向の逆転を防止することができる。即ち、倒れ方向が逆転することによる操作感の悪化を防止することができる。
【００２７】
さらに、スライドキー２の上下を抑えている筐体３と固定板４とが別パーツとなっている、即ち、固定板４が取り外し自在となっているため、修理や再組立の際、廃棄となる部品点数を削減することができる。
【００２８】
なお、上記実施形態では、環状弁２Ａがスライドキー２と一体に形成されていたが、これに限ることはない。例えば、図９に示すように、筐体３の外枠部１１の内面に環状弁２Ａが設けられている構成としてもよい。
【００２９】
また、止水性を向上させるため、環状弁２Ａの曲げを大きくすれば、それに伴い摺動も重くなってしまう。このような場合は、ストロークの小さいスライドスイッチを採用することで、操作感の改善が可能となる。操作時のストロークが小さければ、同じ摺動の重さでも、使用者の感覚としては気になりにくい。また、ストロークを小さくすることで、図８に示すような環上弁の倒れ方向の逆転を防止することができる。
【００３０】
（第二実施形態）
以下、本発明の第二実施形態について図面を参照して詳細に説明する。
図１０は、本実施形態に係るスライドスイッチ構造の一例を示す断面図である。なお、本実施形態では、上述した第一実施形態との相違点を中心に述べ、同様の部分についてはその説明を省略する。
【００３１】
図１０に示すように、本実施形態のスライドキー２には、環状弁２Ａに加えて、付勢弁２Ｃが設けられていることを特徴としている。即ち、本実施形態のスライドキー２は、フランジ部２Ｂと、フランジ部２Ｂの一方側の面に形成された環状弁２Ａと、フランジ部２Ｂの他方側の面に形成された付勢弁２Ｃとを有している。
【００３２】
付勢弁２Ｃは、環状弁２Ａと同様に、根元側の縁２０から先端側の縁２１に向かうに従って、付勢弁２Ｃの中心側から離れる方向に傾斜するように形成されている。本実施形態では、付勢弁２Ｃと環状弁２Ａとは、フランジ部２Ｂの面に対して面対称に形成されている。
【００３３】
本発明の第二実施形態に係る防水型携帯機器１０のスライドスイッチ構造１によれば、フランジ部２Ｂが環状弁２Ａの反力によって他方側に反らされることによって止水性が損なわれることを防止することができる。
また、環状弁２Ａと付勢弁２Ｃとが互いの反力でフランジ部２Ｂを押し合うことによって、弁の曲げ方向が逆転してスライドキー２の操作感が変化することを防止することができる。
【００３４】
なお、上記実施形態においては、付勢弁２Ｃは環状弁２Ａと同様の形状であるとして説明したが、付勢弁２Ｃは止水目的の環状弁２Ａとはことなり、全周に亘って形成されている必要はなく、フランジ部２Ｂの反りを防止するのに十分な形状とされていればよい。
【００３５】
第二実施形態の別の形態として、図１１に示すような形態を採用することもできる。この形態は、非動作時に自己復帰するタイプのスライドスイッチ７を用いる場合に適用されるものである。図１１に示すように、この形態の付勢弁２Ｃは、倒れ方向をスライドキー２のスライド方向で非対象としている。これにより、操作感の調整が可能となる。
【符号の説明】
【００３６】
１…スライドスイッチ構造
２…スライドキー
２Ａ…環状弁
２Ｂ…フランジ部
２Ｃ…付勢弁
３…筐体
３Ａ…開口部
３Ｂ…環状弁
４…固定板
６…プリント基板
７…スライドスイッチ
１０…携帯機器
１１…外枠部
１２…係合片
１３…本体部
１４…レバー
１６…係合孔
１８…操作部
２０…根元側の縁
２１…先端側の縁
２２…湾曲部
【図１】
2013256965.tif 000003
【図２】
2013256965.tif 000004
【図３】
2013256965.tif 000005
【図４】
2013256965.tif 000006
【図５】
2013256965.tif 000007
【図６】
2013256965.tif 000008
【図７】
2013256965.tif 000009
【図８】
2013256965.tif 000010
【図９】
2013256965.tif 000011
【図１０】
2013256965.tif 000012
【図１１】
2013256965.tif 000013
【図１２】
2013256965.tif 000014